(57)【要約】【課題】  エネルギー問題の解決は窮地の地球を救う唯一の解決方法と言って過言では無い。何億年も費やして生まれた化石燃料やガス等の資限を燃焼焼失し、ＣＯ２、ＳＯＸ、ＮＯＸ等の排出をしている。ウラン、プルトニウムを核分裂利用している原子力発電も放射性物質、他を排出し、放射性廃棄物の処理、埋設の問題や天災人災、テロ等の危機もありうる。水力、大陽熱、風力、地熱による発電は、気象条件、立地条件、に左右される。地球温暖化問題は、１日も早く、解決しなければならない。【解決手段】  本発明は重力をエネルギー源とした重力発電である。大型歯車の上に加重用の歯車を垂直に重ね、重力を以って回転エネルギーを発生させ、その回転力を発電機に伝達して発電するものである。地球存続の限り枯渇のない重力。重力発電は地球温暖化防止に貢献する。【選択図】図１
2009047154.tif 000002
【特許請求の範囲】
【請求項１】
本発明は重力をエネルギー源として回転エネルギーを発生し、それを元にした発電装置である。図１、と図３、は基本的原理も内容も全く同じであるが、使用する部品が一部異なるので別手法として作図した物である。本説明は図１、図２、に基づき説明する。図１では大型歯車（１）、中型歯車（２）、小型歯車（３）が歯型を噛み合わせて並んでいる。大型歯車（１）の左肩部分（約４５度）の位置に加重歯車（４）が乗っている。図２を見ても解かる様に、この加重歯車（４）は厚みも重量もあり、大、中、小の歯車を廻しうる形態になっている。歯車の上に歯車を垂直に乗せ安定保持する方策として高架（９）に固定し支えられた２壁の垂直保持壁（５）が加重歯車（４）を挟み込んでいる。もう１つの方策は高架（９）で固定した上下の滑車（７）間を湾曲したチェーン（６）で結び加重歯車（４）を押え且つ歯型噛み合わせしている事である。湾曲チェーン（６）の理由は接触部分を多くした事で直線チェーンでも可能。又歯車の歯型とチェーンの噛み合いが不可能の場合は歯車に噛み合う凸起加工をする。この２策で加重歯車（４）の安定と加重歯車（４）の回転捕促と、更に大型歯車（１）への重力加重が出来る。加重と回転の連動は矢印で示す通り連鎖方向へ進む。１、加重歯車が大型歯車にする事で１Ｂの爪車（ラチェット）を動かす。２、爪車と滑車（７）（下の滑車）を結ぶチェーン（８）が動く。３、上下の滑車（７）が矢印方向に進む。（湾曲チェーン（６）４、この際歯型又は凸起の噛み合いに依って、加重歯車（４）を廻す。５、上部滑車（７）と１Ｂの爪車（ラチェット）が結ばれている事で元へ戻る。従って加重歯車（４）が大型歯車の１つの歯型を下げると同時に全てが回転運動をする訳である。加重歯車（４）自体は固定されておらず、全て全荷重は大型歯車（１）に掛けている。重力に依り加速され回転エネルギーが生じる。このエネルギーを大、中、小の歯車を経て最終歯車（３）の回転軸（３Ａ）から発電機（１０）に伝達され発電する。歯車の上に加重用の歯車を重ね重力に依り回転エネルギーを得る事を特徴とした重力発電。
【発明の詳細な説明】
【技術分野】
【０００１】  本発明は重力をエネルギー源としたものである。有限資源を使用せず、危険を伴う排出物やＣＯ２を排出しない。無公害で地球温暖化を祖止し、地球環境を最重視した重力発電である。
【背景技術】
【０００２】  原子力発電は資源としてウランを、再成としてプルトニウムが使われる。放射能の危険性、放射性物質や放射線の環境汚染は周知の事実である。天災、人為的ミス、テロ、他有事の際と大変危険である。核燃料は、稼動時のみならず、使用後も高、低レベルの放射性廃棄物質の処分、埋設の問題がある。【０００３】  火力発電の資源は主に化石燃料でＬＮＧ、ＮＧＬ、ＬＰＧ都市Ｇ天然Ｇ等の地下資源、天然資源が燃焼使用される。資源を焼失し、間時に多くのＣＯ２、ＳＯＸ、ＮＯＸを排出し、大気汚染する。発電効率も問題がある。【０００４】  資源消失は前記２点だが火力発電の発電電力量の５８％の数字から考えても燃料焼失量がいかに多いか推測出来る。付け加えれば原子力発電所の発電電力量は３７％で、２つ合わせると、９５％にもなる。【０００５】  水力発電は資源の危険性、大気汚染の問題は無いが巨額のダム建設費と立地条件、気象条件を要す。時として、自然の景観を破壊し、史跡や文化遺産をも湖底に沈める事もある。発電電力量は、わずか４％である。【０００６】  その他の発電として太陽熱、風力、地熱等が有るが発電電力量の合計は、わずか、０．００６％。自然エネルギーなので資源消失は無いが、気象条件立地条件に大きく左右される。風力の場合、適性風量があり、無風は論外であるが、風速２５Ｍを越えると停止させる。強風であれば良いと言う問題ではない。水力発電も気象条件、立地条件に左右される。雨量次第で、水量不足の事もある。近年、ダム建設の適応場所の関係上、揚水式という一度落下した水を夜間電力を利用してポンプ、アップし、再利用する方式を取っているが、水量が多いだけに資源面でも、コスト面でも相当な損失である。
【発明の開示】
【発明が解決しようとする課題】
【０００７】  何億年という長い年月を費やして生まれた化石燃料を発電、発熱、又車輌、船舶、航空機等の燃料として一瞬のうちに膨大な量を、燃焼焼失しているのが現状である。勿論、代償は得ているが、０００３でも記した様に大気汚染とその他重大な害も残している。石油紛争による戦争は悲劇である。火力発電の為に限りある資源を焼失し続ける事は、大問題でである。核分裂による原子力発電の功績は多大であるが、反面、０００２で記した様に常に危険が、付きまとう。天災、人災、テロ、有事危機という不安情勢の中で１００％絶対安全はありえない。水力発電の場合、巨額なダム建設費はさる事ながら建設の為に地形を変え、時には史跡や文化遺産をも消し去る。風力や大陽熱、地熱の発電は立地条件、気象条件に大きく、左右される。発電は国の基幹産業であるからこそ、資源焼失する事なく、地球温暖化を含む、大気汚染、地球全体に及ぼす環境汚染を１日も早く阻止しなければならない。
【課題を解決するための手段】
【０００８】  本発明は重力をエネルギー源とした重力発電である。基本的原理は大型歯車の頭頂部から約４５度傾いた肩の位置に大型歯車とその他の負荷を廻しうる重量の歯車を乗せ、その重力をもって回転させ、回転エネルギーを発生して発電させるという機構である。歯型が噛み合っている事で両歯車は逆回転する。軸で固定してある大型歯車の上とはいえ、何も固定せずにその歯車の上に垂直に乗せ、且つ回転運動をするという事は不安定で有り、不可能である。そこで、２壁の垂直保持壁を上部の高架と接続加工し２壁で両側から前後を挟み、又肩部約４５度の位置からころがり、落下しない様に湾曲チェーンで押えた。このチェーンの役割りは、ただ、落下しない為だけの仕組みでは無く、加重用の歯車の凸起とチェーンを噛み合わせ、回転しながら下がる逆方向の歯型部分を押し上げる役目がある。重力に依り荷重負荷は下の大型歯車には掛かるが、チェーン側には掛からず、回転の為の押し上げ用として補促する事が出来る。従って重力活用の重要ポイントである一度下がった重力は再度上げなければ活用出来ない訳であるが、大型歯車が下がり、同時にチェーンが引き上げる事（加重用歯車の回転）で重力の復元がなされたと同じ事に、なる。従って回転位置はほぼ同位置で繰り返しに依り回転エネルギーが生ずる。
【発明の効果】
【０００９】  本発明は重力をエネルギー源としているので地球存続の限り枯渇が無い。従来からの化石燃料等の資限を有効活用出来る。本発明は０００７で記載した全ての課題を解決する。気象条件、立地条件を問わない。ＣＯ２の排出も無く、無危険、無公害。小スペース、小資金で建設可能で分散建設効果として大停電等のライフ、ライン全面ストップも防ぎ、復旧も容易で、テロ等の危機対策上も好ましい。
【発明を実施するための最良な形態】
【００１０】  本発明を図１、図２に基づき説明する。図１は重力発電側面図（Ａ）である。図内には大型歯車（１）中型歯車（２）小型歯車（３）が並び、いづれも歯型が噛み合っている。大型歯車の左肩位置（約４５度）には加重歯車（４）が乗っている。この歯車は下部の大型歯車をはじめ、その他の総負荷を廻しうる重量をなしている。（参照、図２の４の加重歯車が厚みがある事を。）大型歯車（１）の上に垂直に乗り、且つ、回転運動をしても安定を保つ為の策として上部高架（９）から吊り下げられた固定の垂直保持壁（５）が両側から加重歯車（４）を挟んでいる。又、大型歯車（１）の肩位置の歯車が、ころがり落ちぬ策として湾曲チェーン（６）で押えている事である。このチェーンは押えるだけでなく、加重歯車（４）の歯型又は突起と噛み合い、大型歯車（１）側で重力に依って下がる分をチェーン側で押し上げる役目をしている。湾曲チェーン（６）の両端には滑車（７）があり、矢印方向へ動作は進む。又両滑車（７）はチェーによって大型歯車（１）の中心である回転軸（１Ａ）の滑車（１Ｂ）に連結している。この滑車（１Ｂ）には爪車（ラチェット）が施してあり、逆回転しない。動作状況を繰り返すと、１、加重歯車（４）が大型歯車（１）に加重する事で歯型を動かすと同時に滑車（１Ｂ）の爪車（ラチェット）を動かす。２、爪車と下部滑車（７）を結ぶチェーン（８）が動く。３、上下の滑車（７）間の湾曲チェーン（６）が作動。４、この際、歯型又は突起の噛み合いに依って加重歯車（４）を廻す。５、上部滑車（７）と１Ｂの爪車（ラチェット）が結ばれている事で動きの循環は元へ戻る。この１から５の動作は順序立てゝ書いたが実際は同時作動である。この動作が繰り返され回転エネルギーとなり発電機（１０）に伝達して発電に至る。
【図面の簡単な説明】
【００１１】
【図１】重力発電側面図（Ａ）
【図２】重力発電平面図
【図３】重力発電側面図（Ｂ）
【符号の説明】
【００１２】  １、大型歯車  １Ａ  軸（兼制動軸）  １Ｂ  爪車（ラチェット）  ２、中型歯車  ２Ａ、軸、３  小型歯車  ３Ａ、軸、４、加重歯車  ４Ａ、軸  ５、垂直保持壁（ブレ止メ壁）  ５Ａ、同壁バカ穴、６  湾曲チェーン、７、滑車（ラチェット付）  ８、チェーン、９、高架  １０  発電機
【図１】
2009047154.tif 000003
【図２】
2009047154.tif 000004
【図３】
2009047154.tif 000005
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
本発明は重力エネルギーと磁力エネルギーを併合したもので、回転エネルギーに変換し発電する発電装置である。本発明は上部、磁力活用範囲（Ａ）と下部重力活用範囲（Ｂ）の重層構造になっており、両者の力が合体して回転エネルギーが円滑作動する構造になっている。重力活用範囲（Ｂ）から説明する。大（１）中（２）小（３）の歯車が歯型を噛み合わせて並んでいる。大型歯車（１）の左側にはチェーン用歯車（４）と上部にはチェーン用歯車（兼、クランク用車輪）（５）が有り、両歯車の中間に歯車用の歯型とチェーン用の突起を兼ね備え持つ加重歯車（７）が間融をあけて位置している。加重（重力）は大型歯車の歯型と噛み合っている。大型歯車（１）の肩部、約４５度に乗っているがチェーンに依って支えられている。又加重歯車（７）は２壁の垂直保持壁（８）（点線描写）に挟まれて垂直を保持している。加重歯車（７）には軸棒は不要であるが、有る事を仮定して垂直保持壁（８）の軸部分にバカ穴（９）を開けた。（斜線描写）。加重歯車（７）は何の固定もされていないので全荷重は下部の大型歯車（１）の歯型に掛かり動きは回転の方向（矢印方向）に進む。加重歯車（７）の歯型が大型歯車（１）の歯型を１つ下げる事はチェーンの連動により加重歯車（７）の反対位置（対角線上）の歯型を１つ上げる事になる。歯車の肩位置に歯車を乗せて重力を活用する事を特徴とする重力発電。
【請求項２】
次に上部の磁力活用範囲（Ａ）を説明する。図４では上部が小さいので、図５の拡大した図面に基づき説明する。説明に先立ち本発明で使用する磁石は希土類のネオジム、又は同等以上の強力な磁力を有する永久磁石を指す。本装置は解り安く言うとシリンダーの無いピストンの様なものである。図面中央で上下にＮ極とＮ極を向い合わせている。強力な反発力で上部磁石（１１）は上へ、下部磁石（１２）は下へ上下分離する。磁石の分離移動をスムーズに運ぶ役目が、昇降用ガイドポール（１３）である。下部磁石（１２）は、下がる際にクランク、シャフトを押し下げてクランク（１７）を動かし車輪（兼、５のチェン用歯車）（１６）を廻す。車輪を一回転させるには、下部磁石（１２）が一往復する事になる。下部磁石（１２）には図面上、右側にはロープ（１４Ａ）式が結ばれ、左側にはパイプ（１４Ｂ）式が取り付けてあり、その先端はいづれも上部磁石（１１）に取り付けてある。この両サイドの装置が連動式磁石誘導装置（１４）であり上下磁石が反発分離の際は引き離す力を加え、又真下のクランク（１７）が回転して下部磁石（１２）が上昇の際は、上下磁石が互いに反発し合う同極（Ｎ極とＮ極又はＳ極とＳ極）を最接近させる役目がある。これは次の最大反発力を得る為である。この繰り返しがクランクで車輪（１６）（チェーン用歯車（５））を廻し、加重歯車（７）を廻し、引き上げる力となる。結果大型、中型小型の歯車で伝達され最終歯車の回転軸（３Ａ）から発電機（１０）へ伝達し発電する。ピストンの往復運動を磁気エネルギーで上下運動に機構化した事を特徴とする重力発電。
【手続補正２】
【補正対象書類名】明細書
【補正対象項目名】０００８
【補正方法】変更
【補正の内容】
【０００８】  本発明は重力エネルギーと磁力エネルギーを併合した発電装置である。重力活用の基本原理は大型歯車の頭頂部から約４５度傾いた肩位置に歯車用の歯型とチェーン用歯型（突起）を兼ね備え持つ加重歯車を垂直に重せた事である。併せて両サイドには間融を開けてチェーン用歯車を設けチェーンを以って連係を持ち、且つ大型歯車の肩部から落ちぬ様に支えた。又、大型歯車上の垂直保持で回転運動が可能にする為、２壁の垂直保持壁で挟んで安定させた。加重用歯車は固定されておらず、単に大型歯車に乗っている状態である。故に荷重負荷は全て下の大型歯車に掛かり、チェーン側には掛からない。従って、加重歯車の重力に依って、大型歯車の歯型が下がる際は加重歯車の対角線上の反対側では上がる事になる。チェーンの働きも、押し上げと言うより添い手をして回転を補足する感じである。従って加重歯車の回転は重力に依る落下を復元する事になる。加重歯車の回転を円滑にして速度を高める事が回転エネルギーを生む事になる。そこで、請求項２で追加したのが磁力活用装置である。端的に言えばシリンダーの無いピストンの様なもので、同極（Ｎ極とＮ極又はＳ極とＳ極）を向かい合わせた強力な永久磁石が上、下に並びその磁力で上、下に反発分離して移動する。下がる磁石の下にクランク、シャフトが有りクランクが作動して車輪を廻す。この上下移動がピストンの往復運動と同様で車輪（兼．チェーン用歯車）を廻す。チェーン歯車の回転は、加重歯車の回転を助長し、大型歯車を円滑回転させる事になる。この回転エネルギーは大、中、小、の歯車を通じて最終軸から発電機に伝達され発電される。本文で記載した磁石とは現時点で最高の磁力を持つ希土類のネオジムを指し、又は同等以上の磁力を有する永久磁石の事である。
【手続補正３】
【補正対象書類名】明細書
【補正対象項目名】００１０
【補正方法】変更
【補正の内容】
【００１０】  本発明を図４、図５に基づいて説明する。図４のＡは磁力活用範囲を示し、Ｂは重力活用範囲を示す。図４のＡから説明する。Ａの装置は端的に言うと、シリンダーの無い、又エネルギーを強力な永久磁石を使用したピストンと考えれば良い。Ａの中央には磁石が２つ上下に同極（ＮとＮ）の状態で向い合っている。強力な磁石で上下に反発して分離移動する。（図５の拡大図参照）２つの磁石の内、下部磁石（１２）の左右に連動式磁石誘導装置（１４）が備えてある。（単に２つの方法）右側にはロープ式（１４Ａ）、左側にはパイプ式（１４Ｂ）を描いたが、その先、末端は上部磁石（１１）に接続してある。この装置（１４）により、反発して上下分離の場合も、復帰して接近の場合も両磁石の双方が同じ働きをする事である。例えば、上がる磁石が下げる力を助長し、下がる磁石が上げる力を助長する事である。特にパイプ式の場合は互いが持つ最大反発力を発揮する位置へ接近させる事が出来る。反発力を得て落下する下部磁石（１２）の下には、クランク、シャフトが有り上下運動する。その先のクランク（１７）が車輪（１６）（５）を廻す機構である。当然、Ａに於ける磁気が機能に及ぼす範囲は、全て非磁性体を使用する。次にＢの装置であるが、大型歯車（１）の肩位置約４５度傾いた所に加重歯車（７）が垂直に乗っている。この歯車（７）にはチェーン用歯車（突起）も兼ね備えている。この歯車（７）は２つのチェーン用歯車（４）（５）の間に有り、チェーンで連係、連動もしている。（５）のチェーン用歯車は上層、Ａの磁力活用範囲の車輪（１６）と同じ事であり、上層、Ａから伝わる回転をチェーンに伝え、加重歯車（７）を廻す（歯型の押し上げ）役割りをしている。回転力（加重力）を得た加重歯車（７）は、大型歯車（１）に加重を掛けて廻す。この繰り返しが回転エネルギーとなり、大、中、小の歯車を経由して最終歯車（３）の回転軸（３Ａ）から発電機（１０）に伝達し、発電する。これが本発明の重力発電である。尚、無固定の加重歯車（７）が大型歯車（１）の上で垂直維持可能な理由は高架又は壁面を伸ばした２壁で挟んでいる事で垂直保持壁（８）（点線描写）と言いもう１つは前記のチェーンである。
【手続補正４】
【補正対象書類名】明細書
【補正対象項目名】００１１
【補正方法】変更
【補正の内容】
【００１１】
【図１】  重力発電側面図（Ａ）
【図２】  重力発電平面図
【図３】  重力発電側面図（Ｂ）
【図４】  重力発電側面図（磁力併用型）
【図５】  重力発電側面図（磁力活用範囲拡大図）
【手続補正５】
【補正対象書類名】明細書
【補正対象項目名】００１２
【補正方法】変更
【補正の内容】
【００１２】  Ａ、磁力活用範囲、  Ｂ、重力活用範囲、  １、大型歯車、  １Ａ、軸（制動軸）  １Ｂ  クラッチ（瓜車）  ２、中央歯車  ２Ａ、軸、  ３、小型歯車  ３Ａ、軸、  ４、チェーン用歯車、  ５、チェーン用歯車（兼、クランク用車輪）  ６、チェーン  ７、加重歯車（チェーン用歯型（突起）も兼備）  ８、垂直保持壁、（点線描写）  ９  バカ穴（斜線描写）  １０、発電機、  １１、上部磁石（強力永久磁石）  １２、下部磁石（強力永久磁石）  １３、昇降用ガイドポール、  １４、連動式磁石誘導装置（１４Ａロープ式  １４Ｂパイプ式）  １５、滑車、  １６、車輪（兼、チェーン用歯車）  １７、クランク、  １８、クラッチ、  １９、緩衝スプリング、  ２０、高架
【手続補正６】
【補正対象書類名】図面
【補正対象項目名】図４
【補正方法】追加
【補正の内容】
【図４】
2009047154.tif 000006
【手続補正７】
【補正対象書類名】図面
【補正対象項目名】図５
【補正方法】追加
【補正の内容】
【図５】
2009047154.tif 000007
【手続補正書】
【提出日】平成20年3月27日(2008.3.27)
【手続補正１】
【補正対象書類名】明細書
【補正対象項目名】００１１
【補正方法】変更
【補正の内容】
【００１１】
【図１】重力発電側面図（Ａ）
【図２】重力発電平面図
【図３】重力発電側面図（Ｂ）
【図４】重力発電側面図（磁力併用型）
【図５】重力発電側面図（磁力活用範囲拡大図）
【図６】重力発電側面図（図４の磁力併用型の改良タイプ）
【手続補正２】
【補正対象書類名】明細書
【補正対象項目名】００１２
【補正方法】変更
【補正の内容】
【００１２】Ａ．磁力活用範囲、Ｂ．重力活用範囲、１．大型歯車、１Ａ軸（兼制動）、１Ｂ．
2009047154.tif 000008
兼クランク用車輪）５．チェーン、６．加重歯車（チェーン用歯型（突起）も兼備）７．垂直保持壁、８  バカ穴（斜線描写）９．発電機  １０．上部昇降磁石（強力永久磁石）、１１．下部昇降磁石（強力永久磁石）１２．昇降用ガイドポール、１３．固定強力永久磁石、１４．連動式磁石誘導装置  １５．緩衝スプリング、１６．クランク用車輪（兼チェーン用歯車）
2009047154.tif 000009
【手続補正３】
【補正対象書類名】図面
【補正対象項目名】図６
【補正方法】追加
【補正の内容】
【図６】
2009047154.tif 000010
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
本発明は重力エネルギーと慣性力を併合した発電装置である。本発明は図７で左側を慣性力活用範囲（Ａ）とし右側を重力活用範囲（Ｂ）という二段構えの機構になっており、慣性力移換装置（１）で生まれた回転力をフライ、ホイール（２）に伝え、パワーアップした回転エネルギーを後記の加重用歯車（５）に与え回転力の促進と落下重力の引上げを円滑作動する機構である。重力活用範囲（Ｂ）から説明する。大型歯車（７）の右肩には加重用歯車（５）が垂直に乗っている。２壁の垂直保持壁（６）に挟まれているだけで全荷重は下の大型歯車（７）に掛かっている。両者（５）と（７）の歯型が噛み合っている事で矢印方向へ回転しようとするが歯型２〜３ケで止まってしまう。回転を続ける為には加重で下げた分だけ上がる行為を繰り返さなければならない。そこで、下げた分の引上げに力を供給するのが前記のフライホイール（２）の強力な回転エネルギーである。重力活用範囲（Ｂ）だけでは発電効力は発揮しないが前記フライ、ホイール（２）の回転エネルギー受けた時、独自の重力が受給エネルギー以上に回転エネルギーを発生する事を特徴とする重力発電。
【請求項２】
次に図７の左側の慣性力活用範囲（Ａ）を説明する。図７の慣性力歯車（１）の部分を拡大したものが図８の重力発電慣性力移換装置平面図である。両図に基づき説明する。尚、図９は本発明を解かり安く描いたスケッチである。ぶんぶん廻しと言う遊びで多く年輩者は御存知と思う。本発明の本装置はスプリングの強弱次第で強力な回転力とスピード、永続力が得られる。但し、起動時前に事前に行う作業がある。図８の中央に慣性力歯車（１）がありその両側に実線のロープ（１、６）と点線の捩れたロープがあるが、平行線ロープを事前に回転の逆方向に捩っておかなければならない。（これは、あくまで初回の１回のみの事である。）こうして更に外側のスプリングを伸ばした状態でスタート（起動）する。後はスプリングが元に戻る（縮まる）復元力でロープを引っぱり中央の慣性力歯車（１）を廻し乍らロープを平行線状態に戻そうとする。然し、ここで重要な事は、平行線状態に戻っても止まらず逆方向へ捩れてしまう。（これが慣性の法則の１つである。）この法則によって歯車（１）は復元して縮まったスプリングを伸ばすという繰り返しを行う訳である。然し歯車（１）の回転方向は正回転と逆回転を交互に繰り返す為、ケース（１、１）（枠）内に納められた歯車（１）にはラチェット（１、４）（爪車）が組み込まれ１方向の力だけを取り出す訳である。２の回転力をケース（枠）内で摩擦で低下させぬ為内部にはベアリングが施してある。こうして取り出した回転エネルギーを大型のフライホイールに移換して強力な力となる。大型のフライ、ホイールを廻すには起動時に大きな負荷が掛かるが解消方法は慣性力歯車（１）の大きさ重さを多くするかフライ、ホイール（２）に起動時のみ回転促進装置（２、２）を引く事である本図は起動時フライ、ホイールに回転力を与えた事を想定したものである。請求項２の本発明である慣性力移換装置は単独又はフライ、ホイールとの組み合わせだけて発電成立の方向は得られると思うが前記重力エネルギーに依る、図に示した重力活用範囲の方法で組み合わせた事で相乗効果が得られる事に依る。回転しているフライ、ホイールに加速を加え事は難易ではない。慣性力歯車（１）に依り回転エネルギーを生みフライホイールに伝達し且つ加重歯車、大、中、小の歯車を経て発電する事を特徴とする重力発電。
【手続補正２】
【補正対象書類名】明細書
【補正対象項目名】０００８
【補正方法】変更
【補正の内容】
【０００８】  本発明は重力エネルギーと慣性力のエネルギーを併合した発電装置である。大型歯車の肩位置に歯型とチェーン用歯型（又はベルト用溝）を兼ね備え持つ加重用歯車を垂直に重ねた事である。大型歯車の上で垂直保持し乍ら回転運動を可能にする為に２壁の垂直保持壁で挟んで安定させた事である。加重歯車は軸で固定されておらず、従って全重力は、下の大型歯車に掛かる。加重に依り大型歯車の２〜３ケは下がり、矢印の回転方向は示すが止まってしまう。加重歯車が下がった分だけ元の位置に上がらなければ連続回転には至らない。従って、その持ち上げる（元の位置に）役割りをするのがチェーン（又はベルト）である。そこで追加するのが慣性力移換装置である。本発明の装置に依り回転エネルギーが生まれフライホイールに移換伝達する。大型のフライ、ホイールに伝達された回転エネルギーはパワーアップして安定した回転力を得る事に依り、前記の重力発電の為の加重歯車を元の位置に引上げる事が出来る。円滑なチェーン歯車の回転は加重歯車の回転を助長し、大型歯車、中型、小型の歯車をも円滑に回転させる役割りを果たしている。最終歯車の回転軸から発電機に伝達され発電される。本発明は慣性力と重力のエネルギーを源に発電する為、資源を消費する事はない。のみならず、原子力や火力の様な危険物質の排出が無い。燃焼の焼失に依るＣＯ２の排出も無い。地球温暖化を防ぐ、地球環境に優しい発電装置である。
【手続補正３】
【補正対象書類名】明細書
【補正対象項目名】００１０
【補正方法】変更
【補正の内容】
【００１０】  本発明を図７、図８に基づいて稼動順序に従って説明する。まず図８の慣性力移換装置平面図には実線の平行ロープ（１、６）と点線の捩れたロープの二通りが描いてある。平行ロープはスタート（起動）する前の状態である。起動前の作業として事前に慣性力歯車（１）を何回も逆回転を繰り返して点線の捩れたロープ状態にする必要がある。すると必然的に両サイドのスプリング装置のスプリング（１、７と１、８）は伸びた状態になる。スタート（起動）すると伸びたスプリングが復元して縮もうとする。又捩れたロープも平行線の状態に戻ろうとする。然し、スプリングの引き戻す勢いのせいでロープが平行線状態で止まらず、通り過ぎて逆回転の捩りになってしまう。慣性力歯車の回転力とスプリングの引く力が止まらなければ、回転は止まる事がない。丁度、ヨーヨー（遊具）を達人と言われる上手な人が行うと手を止めない限り廻り続けます。正回転と逆回転を繰り返す慣性力歯車（１）の１方向の回転を取り出すラチェット（爪車）（１、４）が内造されている。又ケース（枠）（１、１）には、回転力、低下の原因となる摩擦を防ぐ為ベアリングが施してある。回転エネルギーを得た慣性力歯車（１）から大型のフライホイール（２）へと移換伝達する。フライホイールに伝達された回転エネルギーは安定して円滑且つ力強さを持ち重力活用範囲（Ｂ）の加重用歯車（５）を加重回転補足歯車（３）チェーン（４）又はベルトを媒体として引き上げる。加重用歯車（５）の回転は大型（７）中型（８）小型（９）の歯車に伝達され最終小型歯車（９）の回転軸（１０）を通じて発電機へ伝達し発電される。
【手続補正４】
【補正対象書類名】明細書
【補正対象項目名】００１１
【補正方法】変更
【補正の内容】
【００１１】
【図１】    重力発電側面図、（Ａ）
【図２】    重力発電平面図、
【図３】    重力発電側面図（Ｂ）
【図４】    重力発電側面図（磁力併用型）
【図５】    重力発電側面図、（磁力活用範囲拡大図）
【図６】    重力発電側面図、（図４の磁力併用型の改良タイプ）
【図７】    重力発電側面図、（慣性力併用型）
【図８】    重力発電側面図（慣性力移換装置平面図）
【図９】    ぶんぶん廻し（慣性力参考図）
【手続補正５】
【補正対象書類名】明細書
【補正対象項目名】００１２
【補正方法】変更
【補正の内容】
【００１２】Ａ、慣性力活用範囲、Ｂ、重力活用範囲、１、慣性力歯車、１、１ケース（枠）  １、２支柱、１、３フック（ロープ固定用）  １、４ラチェット、（爪車）  １、５回転予備装置  １、６ロープ  １、７スプリング（軟性）、１８、スプリンク（硬性）  ２、フライホイール、２、１ラチェット（爪車）  ２、２起動時負荷減少装置、３、加重回転補足歯車、３、１チェーン用歯型（又はロープ用溝）  ３、２ラチェット、（爪車）  ４、チェーン（又はベルト）  ５、加速用歯車、５、１チェーン用歯型（又はロープ用溝）  ５２ベアリング  ６、垂直歯車保持壁、７、大型歯車、７、１ラチェット（爪車）  ８、中型歯車、９、小型歯車、１０、発電機
【手続補正６】
【補正対象書類名】図面
【補正対象項目名】図７
【補正方法】追加
【補正の内容】
【図７】
2009047154.tif 000011
【手続補正７】
【補正対象書類名】図面
【補正対象項目名】図８
【補正方法】追加
【補正の内容】
【図８】
2009047154.tif 000012
【手続補正８】
【補正対象書類名】図面
【補正対象項目名】図９
【補正方法】追加
【補正の内容】
【図９】
2009047154.tif 000013
【手続補正書】
【提出日】平成20年5月23日(2008.5.23)
【手続補正１】
【補正対象書類名】特許請求の範囲
【補正対象項目名】請求項２
【補正方法】変更
【補正の内容】
【請求項２】
次に平成２０年５月２０日提出の手続補正書に於ける手続補正６の図７にて慣性力活用範囲（Ａ）にて改良があるので追加図、図１０の図７、慣性力活用範囲の改良側面図と比較、参照願いたい。図８は図７の左端の慣性力歯車（１）の又追加図面図１０の左端の慣性用歯車（１）と同一なものであるが平面図の状態で現したものである。図８の重力発電慣性力移換装置、平面図はエネルギー発生の場であり、又フライ、ホイール（２）へ移換伝達する最も重要な固所である。図９は本発明を解わり安く、描いたスケッチでぶんぶん迥しという遊びで多くの年輩者は御存知と思う。本発明の慣性力移換装置は慣性力歯車（１）をメーンとする図８の装置である。本発明の本装置は歯車（１）の回転とスプリング（１、７と、１、８）の強弱で強力な回転力とスピード、が永続して得られる。但し、起動力時前（事前）に図８の様に慣性力歯車（１）の両側のロープ（１、６）を平行線（実線）から捩れた状態（点線）にしておかなければならない。（これはあくまで初回の１回のみ）ロープを捩ると必然的にスプリングは伸びる。こうした状態でスタート（起動）する。以降はスプリングの復元力で元に戻ろう（縮む）とする力でロープを引き（この時慣性力歯車（１）が廻る。）ロープは平行線状態に戻ろうとする。然し、ここで重要な事は平行状態に戻っても止まらず、更に逆方向へ捩れてしまう。これが慣性の法則の１つである。この法則によって歯車（１）が逆方向へ廻りきった状態ではロープは捩れ、スプリングは伸びた状態（最初と同じ状態）になる。この繰り返りし（正回転と逆回転）が続くのである。手続補正６に於いての図７で図中、左側の慣性力活用範囲（Ａ）では、慣性力歯車（１）とフライ、ホイール（２）の間には歯車がない。これは１方向の回転をフライ、ホイール（２）側に伝達する為であるが、本手続補正書の追加改良図面、の図１０では、既提出の図７で描いた慣性力活用範囲（Ａ）では慣性力歯車（１）とフライ、ホイール（２）は隣り合わせであったが図１０では中間に上部に２ケ、下部に１ケの計３ケの連係歯車（１１）を設けてある。これは左側の慣性力歯車（１）が正回転逆回転を繰り返す際に両回転のエネルギーを全てフライ、ホイールに伝達する為である（改良前は１方向の回転のみ）従って慣性力歯車にあったラチェット（１、４）も新規連係歯車の内部（１１、１）に移した。この様にして大型のフライ、ホイール（２）にエネルギーを注ぎ込む事で大きなパワーとなる。請求項２の本発明である慣性力移換装置は単独又はフライホイールとの組み合わせだけでも発電成立の方向は得られると思うが前記重力エネルギーに依る図に示した重力活用範囲の方法で組み合わせた事で相乗効果が得られる事に依る。回転しているフライ、フライホイールに加速を加える事は難易ではない。慣性力歯車（１）に依り回転エネルギーを生みフライ、ホイールに伝達し且つ加重歯車（５）に重力で下げた重力に引き上げる復元力を与え大型、中型、小型の歯車を経て最終回転軸の回転力を以て発電する事を特徴とする重力発電。
【手続補正２】
【補正対象書類名】明細書
【補正対象項目名】００１１
【補正方法】変更
【補正の内容】
【００１１】
【図１】重力発電側面図（Ａ）
【図２】重力発電平面図
【図３】重力発電側面図（Ｂ）
【図４】重力発電側面図（磁力併用型）
【図５】重力発電側面図（磁力活用範囲拡大図）
【図６】重力発電側面図（図４の磁力併用型の改良タイプ）
【図７】重力発電側面図（慣性力併用型）
【図８】重力発電側面図（慣性力移換装置平面図
【図９】ぶんぶん廻し（慣性力参考図）
【図１０】図７の慣性力活用範囲（Ａ）の改良側面図
【手続補正３】
【補正対象書類名】明細書
【補正対象項目名】００１２
【補正方法】変更
【補正の内容】
【００１２】Ａ  慣性力活用範囲  Ｂ、重力活用範囲  １、慣性力歯車  １、１  ケース（枠）  １、２  支柱  １、３  フック（ロープ固定用）  １、４  ラチェット  １、５  回転予備装置  １、６  ロープ  １、７  スプリング（軟性）  １、８  スプリング（硬性）  ２、フライ、ホイール  ２、１  ラチェット（爪車）  ２、２  起動時負荷減少装置  ３、加重回転補足歯車、３、１  チェーン用歯型（又はロープ用溝）  ３、２  ラチェット（爪車）  ４、チェーン（又はベルト）  ５、加重用歯車、５、１  チェーン用歯型（又はロープ用溝）  ５、２  ベアリング、  ６  垂直歯車保持壁、  ７  大型歯車、７、１  ラチェット（爪車）  ８、中型歯車、  ９、小型歯車  １０、発電機  １１、連係歯車、１１、１  ラチェット（爪車）
【手続補正４】
【補正対象書類名】図面
【補正対象項目名】図１０
【補正方法】追加
【補正の内容】
【図１０】
2009047154.tif 000014
【手続補正書】
【提出日】平成20年6月12日(2008.6.12)
【手続補正１】
【補正対象書類名】明細書
【補正対象項目名】００１１
【補正方法】変更
【補正の内容】
【００１１】
【図１】重力発電側面図（Ａ）
【図２】重力発電平面図
【図３】重力発電側面図（Ｂ）
【図４】重力発電側面図（磁力併用型）
【図５】重力発電側面図（磁力活用範囲拡大図）
【図６】重力発電側面図（図４の磁力併用型の改良タイプ）
【図７】重力発電側面図（慣性力併用型）
【図８】重力発電側面図（慣性力移換装置平面図）
【図９】ぶんぶん廻し、（慣性力参考図）
【図１０】図７の慣性力活用範囲（Ａ）の改良側面図、
【図１１】図８の慣性力移換装置平面図、の改良タイプ（ダブル方式）
【図１２】図１０の慣性力活用範囲（Ａ）のダブル方式に伴う改良図
【手続補正２】
【補正対象書類名】明細書
【補正対象項目名】００１２
【補正方法】変更
【補正の内容】
【００１２】  Ａ、慣性力活用範囲、Ｂ、重力活用範囲、１、慣性力歯車、１、１ケース（枠）  １、２支柱、１、３フック（ロープ固定用）  １、４ラチェット、１、５回転予備装置、１、６ロープ  １、７スプリング（軟性）  １、８スプリング（硬性）  ２、フライ、ホイール、２、１ラチェット（爪車）  ２、２起動時負荷減少装置、３、加重回転補足歯車、３、１チェーン用歯型（又はロープ用溝）  ３、２ラチェット（爪車）  ４、チェーン（又はベルト）  ５、加重用歯車、５、１チェーン用歯型（又はロープ用溝）  ５、２ベアリング、６、垂直歯車保持壁、７、大型歯車、７、１ラチェット（爪車）  ８、中型歯車、９、小型歯車、１０、発電機、１１、連係歯車、１１、１ラチェット（爪車）  １２、ダブル装置可動式伝達歯車、１３、ダブル装置伝達ロープ、１４、滑車、１５、トルク、コンパーター（流体継手）  １６、回転軸、
【手続補正３】
【補正対象書類名】図面
【補正対象項目名】図１１
【補正方法】追加
【補正の内容】
【図１１】
2009047154.tif 000015
【手続補正４】
【補正対象書類名】図面
【補正対象項目名】図１２
【補正方法】追加
【補正の内容】
【図１２】
2009047154.tif 000016
【手続補正書】
【提出日】平成20年6月23日(2008.6.23)
【手続補正１】
【補正対象書類名】明細書
【補正対象項目名】００１１
【補正方法】変更
【補正の内容】
【００１１】
【図１】重力発電側面図（Ａ）
【図２】重力発電平面図
【図３】重力発電側面図（Ｂ）
【図４】重力発電側面図（磁力併用型）
【図５】重力発電側面図（磁力活用範囲拡大図）
【図６】重力発電側面図（図４の磁力併用型の改良タイプ）
【図７】重力発電側面図（慣性力併用型）
【図８】重力発電側面図（慣性力移換装置平面図）
【図９】ぶんぶん廻し（慣性力参考図）
【図１０】図７の慣性力活用範囲（Ａ）の改良側面図
【図１１】図８の慣性力移換装置平面図の改良タイプ（ダブル方式）
【図１２】図１０の慣性力活用範囲（Ａ）のダブル方式に伴う改良図
【図１３】図１１の改良図
【図１４】図１２の改良図（電気式手法）
【手続補正２】
【補正対象書類名】明細書
【補正対象項目名】００１２
【補正方法】変更
【補正の内容】
【００１２】Ａ、慣性力活用範囲、Ｂ、重力活用範囲、１、慣性力歯車、１、１ケース（枠）  １、２支柱、１、３フック（ロープ固定用）１、４ラチェット、１、５回転予備装置、１、６ロープ  １、７スプリング（軟性）１、８スプリング（硬性）２フライホイール、２、１ラチェット（爪車）  ２、２起動時負荷減少装置、３、加重回転補足歯車、３、１チェーン用歯型（又はロープ用溝）、３、２ラチェット（爪車）４、チェーン（又はベルト）５、加重用歯車、５、１チェーン用歯型（又はロープ用溝）５、２ベアリング、６垂直歯車保持壁、７、大型歯車  ７、１ラチェット（爪車）８中型歯車、９、小型歯車、１０、発電機、１１、連係歯車、１１、１ラチェット（爪車）  １２、ダブル装置可動式伝達歯車、１３、ダブル装置伝達ロープ  １４、滑車、１５、トルク、コンバーター（流体継手）１６回転軸、１７、固定磁石、１８、移動磁石、１９、連係アームＡ、２０連係アームＢ、２１、整流器、２２、バッテリー、２３、移動磁石、サポート装置（非磁性体）
【手続補正３】
【補正対象書類名】図面
【補正対象項目名】図１３
【補正方法】追加
【補正の内容】
【図１３】
2009047154.tif 000017
【手続補正４】
【補正対象書類名】図面
【補正対象項目名】図１４
【補正方法】追加
【補正の内容】
【図１４】
2009047154.tif 000018